(57)【要約】【課題】構成簡単且つ安価でメンテナンスの必要性もなく、維持費のかからない省エネルギータイプであり、すでに使用されているエアコンプレッサにも容易に適用できる圧縮空気濾過装置を提供する。【解決手段】上部に圧縮空気の供給管２及び吐出管３が設けられ、底部にドレン管４が設けられたチャンバ１内の下部に前記圧縮空気の供給管２が延長され、該圧縮空気の供給管２の下端に前記チャンバ１の内周面近くに広がる逆漏斗状の拡開部７が形成されてなり、好ましくは、前記チャンバ1内がフィルタ６によって上下二分され、前記圧縮空気の供給管２が前記フィルタ６を貫通して延長させられ、前記圧縮空気の供給管２の下端に前記チャンバ１の内周面近くに広がる逆漏斗状の拡開部７が形成されてなる。【選択図】  図１
2006212462.tif 000002
【特許請求の範囲】
【請求項１】
上部に圧縮空気の供給管及び吐出管が設けられ、底部にドレン管が設けられたチャンバ内に前記圧縮空気の供給管が延長させられ、該圧縮空気の供給管の下端に前記チャンバの内周面近くに広がる逆漏斗状の拡開部が形成されてなる圧縮空気濾過装置。
【請求項２】
上部に圧縮空気の供給管及び吐出管が設けられ、底部にドレン管が設けられたチャンバ内がフィルタによって上下に二分され、前記圧縮空気の供給管が前記フィルタを貫通して延長させられ、前記圧縮空気の供給管の下端に前記チャンバの内周面近くに広がる逆漏斗状の拡開部が形成されてなる圧縮空気濾過装置。
【請求項３】
上部にエアコンプレッサからの圧縮空気の供給管及び作業機への吐出管が設けられ、底部にドレン管が設けられたチャンバ内がフィルタによって上下に二分され、前記圧縮空気の供給管が前記フィルタを貫通して延長させられ、前記圧縮空気の供給管の下端に前記チャンバの内周面近くに広がる逆漏斗状の拡開部が形成されなることを特徴とする圧縮空気濾過装置。
【発明の詳細な説明】
【技術分野】
【０００１】
本発明は、エアコンプレッサ等から供給される圧縮空気を清浄化してその後の各種作業機等に供給する圧縮空気濾過装置に関する。
【背景技術】
【０００２】
エアコンプレッサ等から供給される圧縮空気に、水、油等が含まれていると、その後の各種作業機等に悪影響を与える。例えば、前記作業機がエアシリンダの場合、使用を継続するとエアシリンダ内部に水が浸入して潤滑油を変質させるおそれがあり、また、各種の切換弁にも影響を与えて前記エアシリンダの正確制御等が困難になる等の問題があった。
【０００３】
従来、圧縮空気除湿装置として、エアコンプレッサによって圧縮されて熱交換器内に導入された空気を冷凍サイクルにおける蒸発器によって冷却して当該空気中の水分を結露させることにより除湿する装置が提供されている（特開平１５−３２６１２６号公報）。
【特許文献１】特開平１５−３２６１２６号公報  前記従来の圧縮空気除去装置は、熱交換器を内蔵した除湿装置が使用され高価であり、通常エアコンプレッサと一体化されており、さらに冷凍サイクル維持に別にエネルギを必要とするものであった。
【発明の開示】
【発明が解決しようとする課題】
【０００４】
本発明は、前記事情に鑑み、構成簡単且つ安価でメンテナンスの必要性もなく、維持費のかからない省エネルギータイプの圧縮空気濾過装置を提供することを目的とする。また、本発明は、すでに使用されているエアコンプレッサにも容易に適用でき、その場合にはさらに圧縮空気の清浄化を高めることができる。さらに、その他の気体の除湿にも有効である。
【課題を解決するための手段】
【０００５】
前記課題を解決するため、請求項１の発明は、上部に圧縮空気の供給管及び吐出管が設けられ、底部にドレン管が設けられたチャンバ内に前記圧縮空気の供給管が延長させられ、該圧縮空気の供給管の下端に前記チャンバの内周面近くに広がる逆漏斗状の拡開部が形成されてなることを特徴とする。なお、前記圧縮空気の供給管の前記チャンバ内における延長は前記チャンバの上下略中間程度が望ましい。
【０００６】
前記構成の本発明によれば、前記供給管に供給された圧縮空気は、前記逆漏斗状の拡開部に至ると、急速に減速（膨張）させられ、圧縮空気に含まれている微小化した水、油、さらに塵埃等が接合し、前記チャンバの底部に分離される。
【０００７】
前記水、油、塵埃等が分離された空気は、前記チャンバの内周面と前記拡開部との隙間を通って上昇させられて前記吐出口から各種作業機へ供給される。
【０００８】
請求項２の発明は、上部に圧縮空気の供給管及び吐出管が設けられ、底部にドレン管が設けられたチャンバ内がフィルタによって上下二分され、前記圧縮空気の供給管が前記フィルタを貫通して延長させられ、前記圧縮空気の供給管の下端に前記チャンバの内周面近くに広がる逆漏斗状の拡開部が形成されてなることを特徴とする。
【０００９】
前記構成の本発明によれば、前記チャンバ内を二分するフィルタが設けられているため、前記拡開部で急速に減速（膨張）させられ、水、油、さらに塵埃等が分離された空気は前記フィルタを通過してさらに清浄化され、前記吐出口から各種作業機に供給される。なお、前記各発明にかかる装置は必要に応じて複数連結して使用される。
【００１０】
請求項３の発明は、上部にエアコンプレッサからの圧縮空気の供給管及び作業機への吐出管が設けられ、底部にドレン管が設けられたチャンバ内がフィルタによって上下に二分され、前記圧縮空気の供給管が前記フィルタを貫通して延長され、前記圧縮空気の供給管の下端に前記チャンバの内周面近くに広がる逆漏斗状の拡開部が形成されてなることを特徴とする。
【００１１】
前記構成の各発明によれば、エアコンプレッサに前記熱交換器を内蔵した除湿装置を必要としない。さらにすでに使用されている各種エアコンプレッサにも容易に使用でき、その場合には圧縮空気の清浄度をさらに高めることができる。
【発明を実施するための最良の形態】
【００１２】
以下に、添付図面を参照して、本発明を実施するための最良の形態について説明する。図１は本発明に係る圧縮空気濾過装置の構成図である。
【００１３】
図中、１はチャンバ、２は前記チャンバ１の上部に設けられた圧縮空気の供給管、３は同様に前記チャンバ１の上部に設けられた吐出管である。また、前記チャンバ１の底部にはドレン管４が設けられる。さらに前記ドレン管４にはドレン排出弁５が設けられる。
【００１４】
さらに、前記圧縮空気の供給管２が前記チャンバ１内の下部に延長させられ、前記圧縮空気の供給管２の下端に前記チャンバ１の内周面近くに広がる逆漏斗状の拡開部７が形成される。図中、Ｃはエアコンプレッサ、Ｍは圧縮空気を使用する各種作業機である。
【００１５】
前記構成において、前記エアコンプレッサＣからの圧縮空気が前記供給管２に供給され、さらに該供給管２を通ってその下端に形成された拡開部７に噴射される。その結果、前記圧縮空気は前記拡開部７において急速に減速（膨張）させられる。
【００１６】
前記圧縮空気の急速な減速（膨張）に伴い、供給された圧縮空気に含まれている微小化した水、油、さらに塵埃等が接合し、前記チャンバ１の底部に分離される。前記のごとくして、水、油、塵埃等が分離された空気は、前記チャンバ１の内周面と前記拡開部７との隙間を通って上昇させられ、前記吐出口３から前記各種作業機Ｍへ供給される。
【００１７】
図２は、前記チャンバ１内をフィルタ６によって上下二分し、隔室Ａ、Ｂを形成し、前記圧縮空気の供給管２を前記フィルタ６を貫通して延長し、その下端に前記拡開部７を形成したものである。前記フィルタ６としては、多孔質板、その他繊維状のものが適宜選択して使用される。
【００１８】
前記構成において、前記エアコンプレッサＣからの圧縮空気が前記供給管２に供給され、該供給管２の延長部を通って前記隔室Ｂに至り、前記供給管２の下端に形成された拡開部７から噴射される。その結果、前記圧縮空気は前記拡開部７において急速に減速（膨張）させられる。
【００１９】
前記隔室Ｂにおける圧縮空気の急速な減速（膨張）に伴い、供給された圧縮空気に含まれている微小化した水、油、さらに塵埃等が接合し、前記チャンバ１の底部に分離される。
【００２０】
前記のごとくして、水、油、塵埃等が分離された空気は、前記チャンバ１の内周面と前記拡開部７との隙間を通って前記隔室Ｂ内を上昇させられ、前記フィルタ６を通過して前記隔室Ａに至り、さらに前記吐出口３から前記各種作業機Ｍへ供給される。なお、前記フィルタ６として、多孔質板等を使用すると、該多孔質板に形成された多数の小孔を通過する際にも圧縮空気の減速（膨張）現象が繰り返され圧縮空気の清浄化が行なわれる。
【００２１】
図３は、前記本発明の応用例を示す要部の構成図である。すなわち、病院等の医療現場の空気には種々の細菌やビールスが浮遊していることに鑑み、それら細菌やビールスを含む空気をエアコンプレッサに取り込み清浄化して外部に排出する場合の実施例である。
【００２２】
この応用例では、前記拡開部７が前記チャンバ１の内周面にまで延長及び連結され、さらに前記拡開部７の前記チャンバ１の底部に近い部分が多孔質板８に形成され、さらにまた、該多孔質板８部分が浸漬されるように消毒液９が充填される。なお、その他の構成は前記図１と同様である。
【００２３】
この応用例では、前記細菌やビールスを含んだ圧縮空気が前記図１の場合と同様に前記供給管２に供給され、該供給管２の延長部を通って前記隔室Ｂに至り、下端に形成された拡開部７から噴射される。
【００２４】
そして急速な減速（膨張）に伴い、供給された圧縮空気に含まれている微小化した水、油、塵埃等が分離され、同時に前記水、油、塵埃等とともに細菌やビールスの一部が分離される。
【００２５】
同時に前記拡開部７に供給された圧縮空気は、前記消毒液９中に強制的に浸入させられ、前記多孔質板８及び前記消毒液９中を通って前記隔室Ｂから前記フィルタ６を通過して前記隔室Ａに至り、清浄化された空気が前記吐出口３から外部に排出されるものである。
【図面の簡単な説明】
【００２６】
【図１】本発明の実施の一形態を示す圧縮空気濾過装置の構成図である。
【図２】本発明の実施の一形態を示す他の圧縮空気濾過装置の構成図である。
【図３】本発明の実施の一形態を示す圧縮空気濾過装置の応用例を示す要部の構成図である。
【符号の説明】
【００２７】
１    チャンバ
２    供給管
３    吐出管
４    ドレン管
６    フィルタ
７    拡開部
【図１】
2006212462.tif 000003
【図２】
2006212462.tif 000004
【図３】
2006212462.tif 000005